(57)【要約】【課題】  フィルムハウスの規模に合わせて自在に連結展開し固定保持ができ、且散水ホースもフィルムハウス頂部に安定して保持配置できるフィルムハウスの多機能保持材を提供する。【解決手段】  所要の厚さと幅の合成樹脂フィルムの長さ方向に、その間隔が１乃至３ｍの範囲の所定間隔の区分線と且長さ方向の中心線との交点を挟んで長さ方向の対称的位置２ヶ所に着脱自在な嵌着具の嵌着雌具が取付けられた固定係止幹材と、該固定係止幹材と同様の合成樹脂フィルムで、所要の長さの中央線位置には固定係止枝材とによりなるフィルムハウスの多機能保持材。【選択図】図６
2010046051.tif 000002
【特許請求の範囲】
【請求項１】
所要の厚さと幅の合成樹脂フィルム材の長さ方向には、１乃至３ｍの範囲の適宜間隔毎の区画線と且長さ方向中心線の交点を挟んで、長さ方向の対称的位置２ヶ所には、着脱自在な嵌着具の嵌着雌具が加圧固定若しくは融着固定された固定係止幹材と、該固定係止幹材と同一の合成樹脂フィルム材からなり、その長さの中央線位置で且固定係止幹材の嵌着雌具と嵌着可能な位置に嵌合雄具が加圧固定若しくは融着固定された固定係止枝材とからなり、所要の長さに切断した固定係止幹材の上側より且直交して相互の嵌着具を嵌着させたうえ、フィルムハウスの頂部を誘引させ包被したうえ固定保持を図ることを特徴とする、フィルムハウスの多機能保持材。
【請求項２】
固定係止幹材の交点を囲む対称的位置４ヶ所に嵌合雌具が加圧固定若しくは融着固定され、且固定係止枝材の中央線位置には、固定係止幹材の嵌着雌具と嵌着可能な位置４ヶ所に、嵌着雄具が加圧固定若しくは融着固定されてなる、請求項１記載のフィルムハウスの多機能保持材。
【請求項３】
固定係止枝材の中央線位置に、固定係止幹材に設けられた４ヶ所の嵌着雌具と嵌着できる嵌着雄具のうち、中央線を挟んでそれぞれ２ヶ所の嵌合雄具と他の２ヶ所の嵌着雄具とが、散水ホースを包着挿通しえる長さ分を以って加圧固定若しくは融着固定させてなる、請求項２記載のフィルムハウスの多機能保持材。
【請求項４】
嵌着具が面状ファスナーである請求項１乃至請求項３記載のフィルムハウスの多機能保持材。
【発明の詳細な説明】
【技術分野】
【０００１】  本発明はフィルムハウスにおける被覆フィルム材の安全な固定と、融雪及び高温障害を防止する散水ホースの安定した配設保持の可能な多機能保持材に関する。
【背景技術】
【０００２】  フィルムハウスは露地栽培により育成されていた農作物を、自然条件により隔離し気温の変動や風雨、降霜、降雪或いは鳥害や虫害等の育成阻害要因を排除する管理栽培施設による管理栽培即ちトンネルハウスが開発され、これにより蔬菜類の高品質高収量化が実現され、急速な普及がなされるに至っている。
これがためかかる管理栽培はその後育成丈の高い果菜類や花卉等への利用のために軽量鉄パイプ材による栽培施設を構築のうえ、その外面を合成樹脂フィルム材で包被させた所謂フィルムハウスが全国的に普及され、且今日においてはぶどうを初め桜桃や柑橘等極めて丈高な果樹に亘っても積極的にフィルムハウスの普及拡大化が進んでいる。【０００３】  ところでこれら果菜類や花卉類或いは果樹等のフィルムハウスにおいては、果菜類や花卉類ではその育成丈も略２乃至３ｍで且展開も比較的大きなため軽量鉄パイプで構築される栽培施設の高さも略３乃至４ｍ程度となる。これがためかかる栽培施設の外面に合成樹脂フィルム材を包被させたうえは、金属素材や合成樹脂素材からなるパッカーやクリップなる係止具を用いて栽培施設を形成している軽量鉄パイプ材からなるアーチパイプ材や支柱パイプ材、裾パイプ材若しくは張りパイプ材等の適宜位置に嵌着固定し、若しくは扁平バンドや適宜の紐で包着固定させているもので、該果菜類や花卉類の栽培施設となるとその高さも３乃至４ｍ程度に及ぶために、合成樹脂フィルム材の包被も栽培施設の両側に作業者を配して一方側より他方側へ引上げて包被させねばならず作業が面倒なうえ多数の作業者を要し、而も包被後の合成樹脂フィルムの風による孕みや飛散防止のための固定係止も、栽培施設が脆弱なため地上作業の可能な範囲に適宜の係止具を以って仮固定させたうえ、幅方向及び長さ方向に所要の間隔を以って固定用バンド若しくは固定紐を張設せしめて全体の固定係を図っている。【０００４】  反面ぶどうや桜桃、柑橘等の果樹類、特には桜桃においては果樹自体の樹丈も６乃至８ｍにも及び且樹葉の展開も多量で広大に亘るものであるから、かかる栽培施設は園地の外周囲に所要の間隔で且極めて高い支柱と、その内部にも所要間隔で同様に高い褄柱が立設されたうえ、該褄住の相互間には峰パイプ材が連結され、而も支柱及び褄柱の全体の構造補強を図るうえから、裾パイプが所要の高さ位置に支柱及び褄柱と連結され、更には峰パイプ材からは所要の間隔を以って対称的に弧形状アーチパイプ材が延出されその端縁が裾パイプ材と連結され、而もアーチパイプ材と直交して所要の間隔に張りパイプ材が連結された構造で構築されている。【０００５】  加えて該栽培施設は施設も高く且長さも１２ｍ程度から最長１００ｍにも亘る大型であるから全体の軽量化とコスト低減化を図るうえから専ら軽量鉄パイプ材が使用される。反面該栽培施設に展張される合成樹脂フィルム材は、少なくともその幅が８ｍ程度から最大で略２０ｍ程度に及び、従って該栽培施設への合成樹脂フィルム材の包被展張には極めて多数の作業者によらねばならぬばかりか、包被展張された合成樹脂フィルム材も広大な面積に亘るため、強力な風の孕み圧や風圧の付加がなされる。これがためには包被展張された合成樹脂フィルム材を栽培施設に強固に固定保持させる必要があるが、栽培施設は大型で且軽量鉄パイプ材での構築であるから脆弱であるため、栽培施設の高所固定作業も出来ず、従って強靱な固定保持テープ若しくは固定保持紐を、一側より他側に栽培施設の高所頂部を跨渡させ而もその間隔も０．５乃至１．０ｍ程度を以って交互に結縛固定せねばならず、その固定保持作業には莫大な労力と時間を要していた。【０００６】  かかる実情に鑑み発明者は、包被展張される合成樹脂フィルム材の上面より、合成樹脂フィルム材を所要の幅と長さで且栽培施設の頂部を誘引配位させる幹部と、この幹部と直交する方向に栽培施設の幅方向に包被展張される合成樹脂フィルム材より適宜長さの長い枝部とを一体的に融着若しくは接着させた固定保持材を開発し、これにより大型栽培施設に包被展張される合成樹脂フィルム材の固定保持に係わる問題を解決し、本格的に普及されるに至っている。
【特許文献１】実用新案登録第３１３７３２７号公報
【０００７】  而してかかる幹部と枝部とが一体的に融着若しくは接着形成された固定保持材は、ぶどうや桜桃、柑橘等の大型栽培施設はもとより果菜類や花卉類等の中型栽培施設への普及とともに、栽培施設の面積や幅及び長さも広範囲に亘るため、該固定保持材の幹部は所望の長さに裁断して使用可能なものの、枝部の長さは栽培施設により短い場合や長過ぎる場合も多々発生し、かかる幹部と枝部とが一体的に融着若しくは接着固定された構成では、極めて多種に亘る規格を用意せねばならない。【０００８】  更に他方において中型栽培施設や大型栽培施設は、施設コストの削減から軽量鉄パイプ材で構築されてなり、これがため冬期の降雪に際してその積雪荷重で施設崩壊事故が随所で頻発し、且降霜に際して包被展張された合成樹脂フィルム面に着霜すると栽培施設内の温度が急激に低下し低温障害が度々発生する。反面近年の平均気温の上昇に伴って夏期特には温暖地域における夏期の栽培施設内は過剰な高温化により高温障害が多発し、大きな問題となっている。【０００９】  かかる積雪や着霜への対処或いは高温障害防止には種々なる手段が提案されてなるものの、簡便且安価で効果的手段としては栽培施設頂部に配設させた散水ホースより地下水を散水させ若しくは噴霧させることが最適とされており、栽培施設即ちフィルムハウスの頂部に散水ホースを配設させる手段も強く求められている。
【発明の開示】
【発明が解決しようとする課題】
【００１０】  本発明は上述の問題を解決するためになされたもので、本発明はフィルムハウスの規模に合わせて連結展開し固定保持ができ、且散水ホースをフィルムハウス頂部に安定して保持配置できるフィルムハウスの多機能保持材を提供することにある。
【課題を解決するための手段】
【００１１】  上述の課題を解決するために本発明が用いた技術的手段は、フィルムハウスに包被展張される合成樹脂フィルムと、広い接触保持面積を以って保持固定を図るうえから、所要の厚さと幅の合成樹脂フィルム材の長さ方向には、その間隔が１乃至３ｍの範囲の適宜の長さの区分線と且長さ方向中心線との交点を挟んだ長さ方向の対称的位置２ヶ所に着脱自在な嵌着具の嵌着雌具が加圧固定若しくは融着固定されてなる固定係止幹材と、該固定係止幹材と厚さ及び幅が同一の合成樹脂フィルム材からなり、且所要の長さの中央線位置で而も固定係止幹材の嵌着雌具に嵌着可能な位置には着脱自在な嵌着具の嵌着雄具が加圧固定止若しくは融着固定された固定係止枝材とからなり、固定保持させるフィルムハウスの長さに固定係止幹材を切断し、且フィルムハウス幅長に形成された固定係止枝材が上側に且直交して配位されるよう相互の嵌着具を嵌着させたうえ、フィルムハウスの頂部を誘引させて固定保持を図ることを特徴とするフィルムハウスの多機能保持材に存するものであり、加えて固定係止幹材の交点を囲む対称的位置４ヶ所には嵌着雌具が加圧固定若しくは融着固定され、且固定係止枝材の中央線位置には固定係止幹材の嵌着雌具と嵌着可能な位置４ヶ所に、嵌着雄具が加圧固定若しくは融着固定されたフィルムハウスの多機能保持材に存する。【００１２】  更に散水ホースを安定して配設保持させるため、前記固定係止幹材に加圧固定若しくは融着固定されてなる嵌着雌具に嵌着しえる固定係止枝材の嵌着雄具が散水ホースを包着挿通しえる包着長を以って加圧固定若しくは融着固定された構成からなる、フィルムハウスの多機能保持材に存するものである。
【発明の効果】
【００１３】  本発明は上述の如き構成からなるものであって、所要の厚さと幅の合成樹脂フィルム材を用い、その長さ方向には間隔が１乃至３ｍ毎の区分線と且長さ方向中心線との交点を挟んだ長さ方向の対称的位置２ヶ所若しくは交点を適宜長さの挟んだ対称的位置４ヶ所に、着脱自在な嵌着具の嵌着雌具が加圧固定若しくは融着固定されて固定係止幹材が形成されるため、該固定係止幹材が連続的且長尺状に形成できるため、フィルムハウスの規模に合わせて適宜に切断し使用することが可能である。【００１４】  そして固定係止幹材と同様の厚さと幅の合成樹脂フィルム材からなり、所要の長さの中央線位置で且固定係止幹材の嵌着雌具と嵌着可能な位置には、嵌着雄具が加圧固定若しくは融着固定されて固定係止枝材が形成されてなるから、使用に際しては該固定係止枝材を固定係止幹材の上面に且該固定係止幹材と直交するように嵌着させることにより、フィルムハウスを包被しえる長さと幅に連結形成され、この固定係止幹材の一側端を適宜の誘引ロープ等で結縛させ、フィルムハウス頂部の一側より他側に誘引させることで規模の大きな施設でも簡便にフィルムハウス全体に包被しえ、且所定の間隔毎に嵌着された固定枝材が施設両側面に配位且垂下されるため、その下端縁を地上作業において能率良く結縛しえるとともに包被展張された合成樹脂フィルムも強固に且均質に固定保持できる。【００１５】  加えて強風の付加や孕み圧の付加によっても、所要の幅の扁平状で且柔軟な素材からなるため薄肉な合成樹脂フィルムの破損や裂損も防止される。
更に本発明では固定保持枝材の嵌着雄具の配設を、通水時の散水ホースを包着挿通しえる包着長を以って加圧固定若しくは融着固定させてなるから、適宜の散水ホースを該固定保持枝材の嵌着雄具を固定保持幹材の嵌着雌具と嵌着させることにより散水ホースも包着保持され、フィルムハウス頂部全体に亘って配置固定される。従って降雪時には該散水ホースより地下水を散水することにより融雪がなされ、フィルムハウスの崩壊や損壊が防止され且降霜時には着霜の除去による低温障害が防止され、而も夏期における地下水噴霜により高温障害を確実に防止しえる。
【発明を実施するための最良の形態】
【００１６】  所要の厚さと幅の合成樹脂フィルム材の長さ方向には、１乃至３ｍの範囲の適宜間隔の区画線と、その長さ方向中心線との交点を挟んで対称的位置２ヶ所に着脱自在な嵌着具の嵌着雌具が加圧固定された固定係止幹材と、該固定係止幹材と厚さ及び幅が同一の合成樹脂フィルム材からなり、所要の長さの中央線位置で且固定係止幹材の嵌着雌具と嵌着可能な位置には、嵌合雄具が加圧固定された固定保持枝材とを用い、フィルムハウスの長さに合わせて固定保持幹材を切断のうえ、所要の長さの固定係止枝材を固定係止幹材の上側に且直交するよう配位し相互を嵌着させたうえ、固定係止幹材の一端を誘引ロープ等で、フィルムハウス頂部の一方側より他方側に誘引方被させたうえ、垂下する固定係止枝材の端縁を結縛固定させる。
【実施例１】
【００１７】  以下に本発明実施例を図とともに説明すれば、図１は本発明を構成する固定係止幹材１の説明図であって、該固定係止幹材１は所要の厚さと幅の合成樹脂フィルム材１Ａが用いられるもので、本発明は比較的その栽培施設規模が大きく広面積に包被展張される合成樹脂フィルムを強風圧や孕み圧によっても破損や裂損させることなく安全に保持固定させるうえから、比較的幅広扁平状で且柔軟なものが好適であることによるもので、且フィルムハウスは農作物の育成のうえから太陽光の透光も必要であることから、使用する合成樹脂フィルム材１Ａも当然に透明性のものが用いられる。【００１８】  加えて該合成樹脂フィルム材１Ａの厚さ及び幅は、本発明をフィルムハウスに包被展張される合成樹脂フィルムを包被固定係止させる場合に、それぞれの端縁を栽培施設の適宜部位に結縛固定するものであるから、あまり幅広で肉厚のものでは扱い性が悪くなることから、通常においては略１０乃至１５ｃｍ程度が好適で且その厚さも合成樹脂フィルム１Ａの素材によっても異なるが、風圧に対抗しえる破断強力としては略１００ｋｇ程度が望まれるもので、合成樹脂フィルム１Ａの素材がポリエチレンの場合では略０．１乃至０．２程度が目処となる。【００１９】  そして固定係止幹材１はフィルムハウスの頂部をその長さ方向に亘って包被配位されるものであるが、フィルムハウスの施設規模等は育成作物によっても、或いは施設の立地条件によっても多様に亘るため、その施設の長さに合わせて適宜に切断し使用することが合理的であることから可能な限り長尺状に形成させることが好都合である。
そして該固定係止幹材１には、その間隔が１乃至３ｍの範囲の適宜間隔の区分線Ａ−Ａ線と且その長さ方向中心線Ｂ−Ｂ線との交点Ｐを挟んで、長さ方向の対称的位置２ヶ所には着脱自在な嵌着具３の一方の嵌着雌具３Ａが加圧固定若しくは融着固定３０されている。【００２０】  かくしてなる固定係止幹材１には、その適宜間隔毎に加圧固定若しくは融着固定３０された嵌着雌具３Ａには、フィルムハウスの頂部より両側に向かって包被展張されてなる合成樹脂フィルムの傾斜勾配に沿って該合成樹脂フィルムの下端よりやや長い長さの固定係止枝材２が該固定係止材枝２に形成された嵌着雄具３Ｂと嵌着されている。
即ち固定係止枝材２は、図２に示すようにその厚さ及び幅が固定係止幹材１と同様の合成樹脂フィルム１Ａが用いられるとともに、その長さは栽培施設の頂部から両側の傾斜屋根部分と且その下方の裾部分に相当するものであるから、栽培施設規模の大きさに係わりなく通常では略６ｍ、８ｍ、１０ｍ及び１２ｍ程度で対処できる。【００２１】  そしてかかる固定係止枝材２には、その長さに対する中央線Ｃ−Ｃ線と且長さ方向の中心線Ｄ−Ｄ線との交点Ｐを挟んで幅方向の対称的２ヶ所に且固定係止幹材１に形成された嵌着雌具３Ａと嵌着可能な位置には、着脱自在な嵌着具３の嵌着雄具３Ｂが加圧固定若しくは融着固定３０されている。
而て図１及び図２において固定係止幹材１に形成された嵌着雌具３Ａと、固定係止枝材２に形成された嵌着雄具３Ｂの形成方向の違いは、固定係止幹材１に対し固定係止枝材２が直交して嵌着される理由による。【００２２】  更にフィルムハウスの規模が極めて大型で風圧や孕み圧が大きく付加され若しくは平時の強風立地や台風等による強固且安全な固定係止を図るためには、固定係止幹材１及び固定係止枝材２との嵌着強力を向上させること、及び散水ホース４の通水に伴う多重化にも安定した包着保持を図るうえからは、図３に示す如く固定係止幹材１には嵌着雌具３Ａを４ヶ所、及び固定係止枝材２にも嵌着雄具３Ｂが４ヶ所加圧固定若しくは融着固定３０させることが望まれる。【００２３】  即ち図３のＡは嵌着雌具３Ａが４ヶ所形成された固定係止幹材１の説明図であって、その間隔が１乃至３ｍの範囲の適宜間隔の区分線Ａ−Ａ線と且その長さ方向中心線Ｂ−Ｂ線との交点Ｐを挟んで対称的位置に４ヶ所加圧固定若しくは融着固定３０されてなるもので、更に図３のＢには嵌着雄具３Ｂが４ヶ所形成された固定係止枝材２が示されてなるもので、固定係止枝材２の長さ分における中央線Ｃ−Ｃ線及び長さ方向の中心線Ｄ−Ｄ線との交点Ｐを挟んで対称的に且固定係止幹材１に形成された嵌着雌具３Ａと嵌着できる位置４ヶ所に嵌着雄具３Ｂが加圧固定若しくは融着固定３０されてなるものである。【００２４】  図４は散水ホース４の包着挿通の説明図が示されてなるもので、固定係止幹材１の嵌着雌具３Ａ、３Ａと嵌着される固定係止枝材２の嵌着雄具３Ｂ、３Ｂの間の固定係止枝材２が、注水され膨脹してなる散水ホース４の外周を包着挿通しえる長さ分をもって、嵌着雌具３Ａと嵌着雄具３Ｂとが嵌着されるよう形成しておくことで可能となる。【００２５】  図５は嵌着具３の説明図であって、該嵌着具３は着脱自在で強固な嵌着力と且小型軽量で固定係止幹材１や固定係止幹材２との取付けが簡便なものが望まれる。これがためには図５に示す如くプラホック３１なるものが提案され、このプラホック３１は雌型プラホック３２と雄型プラホック３３からなり、雌型プラホック３２は強靱で粘弾性及び軽量な素材が望まれることから、ポリアミド系樹脂やポリオレフィン系樹脂が好適であって、十分な圧着係止面を有しその中央には係止保持ピン３２Ｂが一体的に形成された係止蓋３２Ａと、且十分な圧着係止面を有しその中央に係止保持ピン係入孔３２Ｄを有し、而も二層に亘る係止固定溝３２Ｅが形成された係止凹部材３２Ｃとからなり、該雌型プラホック３２は固定係止幹材１の所要の形成位置に該固定係止幹材１を挟んで係止蓋３２Ａと係止凹部材３２Ｃと配位したうえ、プレス等で圧着させることにより係止蓋３２Ａの係止保持ピン３２Ｂを固定係止幹材１を貫通させて係止凹部材３２Ｃの係止保持ピン係入孔３２Ｄ内に係入させて係止固定がなされる。【００２６】  他方雄型プラホック３３も強靱で粘弾性及び軽量な素材が用いられるとともに、十分な圧着係止面を有しその中央には係止保持ピン３３Ｂが一体的に形成された係止蓋３３Ａと、且十分な圧着係止面を有しその中央には、雌型プラホック３２の二層に亘る係止固定溝３２Ｅ内に係合保持される係止係合突部３３Ｄが形成された��合凹部材３３Ｃが形成されてなるもので、同様に固定係止枝材２の所要の形成位置に、該固定係止枝材２を挟んで係止蓋３３Ａと係合凹部材３３Ｃとを配位のうえ、プレス等で圧着させることにより係止固定がなされる。
無論嵌着具３はかかるプラホック３１に限定されるものではなく、着脱自在に固定係止幹材１と固定係止枝材２とが連結しえるものであれば使用出来、例示すれば面状ファスナー片や強力粘着剤の塗着手段も挙げられる。【００２７】  かかる如くして固定係止幹材１及び固定係止枝材２の所要位置に係止固定されたプラホック３１の相互を嵌着させて連結を図ることにより、図６に示す如きフィルムハウスの多機能保持材５が形成される。
かくしてなるフィルムハウスの多機能保持材５を、フィルムハウスに包被展張された合成樹脂フィルムの固定保持のために使用する場合には、固定係止幹材１の一側端に適宜の誘引紐等を結縛のうえ、フィルムハウスの一側から他側にその頂部を誘引させることにより、図７の如き包被がなされ、且それぞれの固定係止枝材２の端縁を結縛することにより固定保持がなされる。【００２８】  更に固定係止幹材１と固定係止枝材２との嵌着に際して、散水ホース４を包着挿通しえるよう嵌着せしめたうえ散水ホースを挿通させて、フィルムハウスの一側から他側にその頂部を誘引させたうえ固定係止枝材２の結縛により、図８に示す如く散水ホース４がフィルムハウス頂部に安定して配置保持されることとなる。
【産業上の利用可能性】
【００２９】  軽量鉄パイプ材で構築され且合成樹脂フィルムで包被展張されるフィルムハウスには農業用、畜産用或いは一般工事用にかかわらず使用できる。
【図面の簡単な説明】
【００３０】
【図１】  固定係止幹材の説明図である。
【図２】  固定係止枝材の説明図である。
【図３】  嵌着具が４個で形成された固定係止幹材と固定係止枝材の説明図である。
【図４】  散水ホースの包着挿通説明図である。
【図５】  プラホックからなる嵌着具の断面説明図である。
【図６】  本発明の説明図である。
【図７】  本発明の使用態様図である。
【図８】  散水ホースを包被挿通させた使用態様図である。
【符号の説明】
【００３１】  １    固定係止幹材
１Ａ  合成樹脂フィルム材
２    固定係止枝材
３    嵌着具
３Ａ  嵌着雌具
３Ｂ  嵌着雄具
３０    加圧固定若しくは融着固定
３１    プラホック
３２    雌型プラホック
３２Ａ  係止蓋
３２Ｂ  係止保持ピン
３２Ｃ  係止凹部材
３２Ｄ  係止保持ピン係入孔
３２Ｅ  係止固定溝
３３    雄型プラホック
３３Ａ  雄型プラホックの係止蓋
３３Ｂ  雄型プラホックの係止保持ピン
３３Ｃ  係合凹部材
３３Ｄ  係止係合突部
４    散水ホース
５    本発明品
【図１】
2010046051.tif 000003
【図２】
2010046051.tif 000004
【図３】
2010046051.tif 000005
【図４】
2010046051.tif 000006
【図５】
2010046051.tif 000007
【図６】
2010046051.tif 000008
【図７】
2010046051.tif 000009
【図８】
2010046051.tif 000010